【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
複数種類の図柄が付された複数のリールと、
前記リールを回転させるためのスタートレバーと、
前記リールの各々に設けられ、対応する前記リールの回転を停止させるときに操作されるストップボタンと、
当選役を決定する役抽選手段と、を備え、
前記当選役には、所定の小役と、所定のリプレイ役と、を含み、
遊技状態として、通常遊技状態と、前記所定の小役が当選したときに遊技者に有利な前記ストップボタンの操作順序を報知する所定の有利遊技状態と、を有し、
前記所定の小役が当選した場合において、第１の図柄組み合わせを有効ライン上に停止表示可能とし、前記第１の図柄の組み合わせが前記有効ライン上に停止表示された場合には、所定の図柄が一直線上に停止表示され、
前記所定のリプレイ役が当選したときに、
前記ストップボタンが第１の操作順序で操作されたときは、第２の図柄組み合わせを有効ライン上に停止表示可能とし、前記第２の図柄組み合わせが前記有効ライン上に停止表示された場合には、前記有効ラインとは異なるライン上に前記所定の図柄が一直線上に停止表示されず、
前記ストップボタンが第２の操作順序で操作されたときは、第３の図柄組み合わせを前記有効ライン上に停止表示可能とし、前記第３の図柄組み合わせが前記有効ライン上に停止表示された場合には、前記有効ラインとは異なるライン上に前記所定の図柄が一直線上に停止表示され、
前記内部中遊技の所定の有利遊技状態において、前記所定のリプレイ役が当選した遊技で前記第１の操作順序を報知する場合を有することを特徴とする遊技機。
【手続補正２】
【補正対象書類名】明細書
【補正対象項目名】０００１
【補正方法】変更
【補正の内容】
【０００１】
本発明は通常遊技状態とストップボタンの操作順序を報知する所定の有利遊技状態とを有する遊技機に関する。
【手続補正３】
【補正対象書類名】明細書
【補正対象項目名】０００２
【補正方法】変更
【補正の内容】
【０００２】
スロットマシン等に代表される遊技機は、遊技者の操作により、役の抽選結果に応じた所定の図柄の組み合わせを揃えることで遊技媒体（遊技メダル等）を獲得する遊技を提供するように構成されている。このような遊技機は、遊技を実行するメイン制御手段と、この遊技に応じた演出を実行するサブ制御手段（演出制御手段）と、から構成されている。従来、サブ制御手段のモード（演出の状態を管理する情報）として、通常モードや特殊モードとしてのＡＴモード等の複数のモード（遊技状態）で管理する遊技機が存在する（例えば、特許文献１参照）
【手続補正４】
【補正対象書類名】明細書
【補正対象項目名】０００４
【補正方法】変更
【補正の内容】
【０００４】
このような従来の遊技機では、ＡＴモードにおける遊技が、遊技者にとって単調な遊技となってしまうという課題があった。
【手続補正５】
【補正対象書類名】明細書
【補正対象項目名】０００５
【補正方法】変更
【補正の内容】
【０００５】
本発明はこのような課題に鑑みてなされたものであり、所定のリプレイ役の当選に対し、ストップボタンの操作順序に基づいて、停止表示される図柄組み合わせを変化させるように構成された遊技機を提供することを目的とする。
【手続補正６】
【補正対象書類名】明細書
【補正対象項目名】０００６
【補正方法】変更
【補正の内容】
【０００６】
前記課題を解決するために、本発明に係る遊技機は、複数種類の図柄が付された複数のリールと、前記リールを回転させるためのスタートレバーと、前記リールの各々に設けられ、対応する前記リールの回転を停止させるときに操作されるストップボタンと、当選役を決定する役抽選手段と、を備え、前記当選役には、所定の小役と、所定のリプレイ役と、を含み、遊技状態として、通常遊技状態と、前記所定の小役が当選したときに遊技者に有利な前記ストップボタンの操作順序を報知する所定の有利遊技状態と、を有し、前記所定の小役が当選した場合において、第１の図柄組み合わせを有効ライン上に停止表示可能とし、前記第１の図柄の組み合わせが前記有効ライン上に停止表示された場合には、所定の図柄が一直線上に停止表示され、前記所定のリプレイ役が当選したときに、前記ストップボタンが第１の操作順序で操作されたときは、第２の図柄組み合わせを有効ライン上に停止表示可能とし、前記第２の図柄組み合わせが前記有効ライン上に停止表示された場合には、前記有効ラインとは異なるライン上に前記所定の図柄が一直線上に停止表示されず、前記ストップボタンが第２の操作順序で操作されたときは、第３の図柄組み合わせを前記有効ライン上に停止表示可能とし、前記第３の図柄組み合わせが前記有効ライン上に停止表示された場合には、前記有効ラインとは異なるライン上に前記所定の図柄が一直線上に停止表示され、前記内部中遊技の所定の有利遊技状態において、前記所定のリプレイ役が当選した遊技で前記第１の操作順序を報知する場合を有するように構成されていることを特徴とする。
【手続補正７】
【補正対象書類名】明細書
【補正対象項目名】０００７
【補正方法】変更
【補正の内容】
【０００７】
このような本発明に係る遊技機の変形例として、遊技を実行するメイン制御手段と、遊技者にとって有利な演出状態である特定演出状態、第１の演出状態、第２の演出状態、並びに、前記第１の演出状態及び前記第２の演出状態よりも前記特定演出状態への移行確率が高い第３の演出状態を含む複数の演出状態の中から何れか一つを選択し、前記遊技に応じて、選択されている前記演出状態の演出を実行する演出制御手段と、を有し、前記演出制御手段は、前記第１の演出状態の遊技において第１の条件が満たされたときに、２段階以上のレベルの中からいずれか一つのレベルを決定し、所定の段階以上のレベルが決定されたときに、前記演出状態を前記第２の演出状態に切り替え、前記第２の演出状態の遊技において、当該第２の演出状態における第１の遊技数の遊技が実行されたときに、前記演出状態を前記第３の遊技状態に切り替えるとともに、現在の前記レベルを維持するか否かを決定し、前記第３の演出状態の遊技において、前記レベルに応じて２段階以上のステージの中から少なくとも１つのステージを少なくとも１つ以上選択するとともに、選択された前記ステージ毎に第２の遊技数の遊技の間、選択された前記ステージに応じて前記特定演出状態に移行するか否かを決定し、前記特定演出状態に移行すると決定したときは前記演出状態を前記特定演出状態に切り替え、選択された前記モードの全てに対して前記第２の遊技数の遊技が実行されたときは、前記第１の演出状態に切り替えるとともに、前記第２の演出状態から前記第３の演出状態に切り替えるときに前記レベルを維持しないと決定されているときは、前記レベルを変更するように構成することができる。
本発明に係る遊技機の変形例は、所定の情報（レベル）に基づいて第１及び第２の演出状態（例えば、通常演出状態Ｄ１及び前兆演出状態Ｄ２）とこの第１及び第２の演出状態よりも特定演出状態（例えば、ＡＲＴ演出状態Ｄ４）に移行しやすい第３の演出状態（例えば、高確演出状態Ｄ３）とを繰り返すように構成されているため、遊技者に対して特定演出状態へ移行する機会が周期的に与えられることになり、遊技者に対して連続した期待感を与えることができ、遊技が単調になることがない。また、高確演出状態である第３の演出状態において、複数のステージの中から少なくとも一つのステージを選択し、このステージに応じて特定演出状態への移行抽選を行うことにより、演出のバリエーションが増加し、遊技が単調になることを更に防止することができる。
【手続補正８】
【補正対象書類名】明細書
【補正対象項目名】０００８
【補正方法】変更
【補正の内容】
【０００８】
また、このような本発明に係る遊技機の変形例において、前記演出制御手段は、前記第３の演出状態の遊技において、２以上のステージが選択されたときは、段階の低い前記ステージから実行するように構成することができる。
【手続補正９】
【補正対象書類名】明細書
【補正対象項目名】００１０
【補正方法】変更
【補正の内容】
【００１０】
また、このような本発明に係る遊技機の変形例において、前記演出制御手段は、前記特定演出状態から切り替えられた前記第１の演出状態にあるときに、前記レベルが前記所定の段階以上のレベルであるときは、前記遊技毎に抽選を行い、当該抽選に当選したときに、前記演出状態を前記第２の演出状態に切り替えるように構成することができる。
【手続補正１０】
【補正対象書類名】明細書
【補正対象項目名】００１１
【補正方法】変更
【補正の内容】
【００１１】
また、このような本発明に係る遊技機の変形例において、前記演出制御手段は、前記第１の演出状態において、前記抽選を開始してから第３の遊技数の遊技が実行されるまでの間、連続して前記抽選に当選しないときは、前記演出状態を前記第２の演出状態に切り替えるように構成することができる。
【手続補正１１】
【補正対象書類名】明細書
【補正対象項目名】００１３
【補正方法】変更
【補正の内容】
【００１３】
また、このような本発明に係る遊技機の変形例において、前記演出制御手段は、前記演出状態を前記第１の演出状態から前記第２の演出状態を切り替えるときに、抽選で前記第１の遊技数を決定するように構成することができる。
【手続補正１２】
【補正対象書類名】明細書
【補正対象項目名】００１５
【補正方法】変更
【補正の内容】
【００１５】
また、このような本発明に係る遊技機の変形例において、前記演出制御手段は、前記演出状態を前記第３の演出状態から前記第１の演出状態に切り替えるときに、前記レベルを維持しないと決定されているときは、前記レベルを現在のレベルより低いレベルに設定するように構成することができる。
【手続補正１３】
【補正対象書類名】明細書
【補正対象項目名】００１７
【補正方法】変更
【補正の内容】
【００１７】
また、このような本発明に係る遊技機の変形例において、前記演出制御手段は、前記演出状態を前記特定演出状態に切り替えるときに、前記レベルを現在の前記レベルより高いレベルにするか否かを決定するように構成することができる。
【手続補正１４】
【補正対象書類名】明細書
【補正対象項目名】００１９
【補正方法】変更
【補正の内容】
【００１９】
また、このような本発明に係る遊技機の変形例は、特定役を含む複数の役の中から当選役を決定する役決定手段を有し、前記演出制御手段は、前記第２の演出状態における遊技であって、前記役決定手段により前記当選役として前記特定役が決定された遊技において、前記レベルを現在の前記レベルより高いレベルにするか否かを決定するように構成することができる。
【手続補正１５】
【補正対象書類名】明細書
【補正対象項目名】００２０
【補正方法】変更
【補正の内容】
【００２０】
本発明に係る遊技機の変形例は、複数の演出状態の各々において、遊技者に有利な処理（演出）が含まれており、この第２の演出状態においても、特定役に当選したことによりレベルを上げるか否かの抽選を行うことにより、遊技者に有利な演出を提供することができる。
【手続補正１６】
【補正対象書類名】明細書
【補正対象項目名】００２１
【補正方法】変更
【補正の内容】
【００２１】
本発明に係る遊技機を以上のように構成すると、所定のリプレイ役の当選に対し、ストップボタンの操作順序に基づいて、停止表示される図柄組み合わせが変化するため、遊技が単調になることがない。
【手続補正１７】
【補正対象書類名】明細書
【補正対象項目名】００５１
【補正方法】変更
【補正の内容】
【００５１】
また、上述のリプレイの当選役のうち、リプレイ２〜リプレイ４に対しては、ストップボタン３３ａ〜３３ｃの押し順が割り当てられている。例えば、リール制御手段１２０は、リプレイ２が当選したときに、ストップボタン３３ａ〜３３ｃが順押しされると、その操作タイミングに応じて、上記のように重複して当選するリプレイＢ〜リプレイＦの中から、いずれか一つの図柄の組み合わせを中段ライン（すなわち、有効ライン上）に揃えるように構成されており、これにより、上段ライン、又は右斜め下がりのライン（無効ライン）にベルの図柄の組み合わせ（特定小役である小役１Ａの図柄の組み合わせ）が揃うことになる。すなわち、変動表示手段であるリール２１ａ〜２１ｃの表示窓１１から見える表示領域に停止した図柄の中の少なくとも一つの直線上に、特定小役（小役１Ａ）の図柄の組み合わせが含まれる。また、リール制御手段１２０は、リプレイ２が当選したときに、ストップボタン３３ａ〜３３ｃが変則押しされると、中段ライン（有効ライン）にリプレイの図柄が揃う、すなわち、リプレイＡの図柄の組み合わせを停止させるように構成されている。同様に、リール制御手段１２０は、リプレイ３が当選したときに、ストップボタン３３ａ〜３３ｃが順押しされたときは中段ラインにリプレイの図柄を停止させ、変則押しされたときは中段ラインに赤７の図柄を揃えることができるときは、赤７が揃うように停止させ、揃えることができないときはリプレイの図柄を停止させる。また、リール制御手段１２０は、リプレイ４が当選したときに、ストップボタン３３ａ〜３３ｃが順押しされたときは中段ラインにリプレイの図柄を停止させ、変則押しされたときは下段ラインにリプレイの図柄が揃うように停止させる。